(57)【要約】【課題】空気調和機の室外ユニットを何処にでも設置しやすいように小型にすること。【解決手段】縦置き圧縮機１２と、少なくとも３面を吸い込み面とする熱交換器１３と、ファン１４とを備え、熱交換器１３がカギ型形状となっており、凹部にファン１４を、凸部の空間の一部に縦置き圧縮機１を配設し、室外ユニットを略Ｌ字型とすることにより、熱交換器１３の面積が大きく取れるので、室外ユニットの全幅Ｗ１を小さくしても、従来構成よりも大きな熱交換器１３の面積を取ることが出来るので、小型の室外ユニットで効率の高い空気調和機となる。【選択図】図１
2006057864.tif 000002
【特許請求の範囲】
【請求項１】
少なくとも３面を吸い込み面とする室外ユニットに、複数の折り曲げ部を有する熱交換器と、前記熱交換器の凹部空間に配設されたファンとを有し、前記熱交換器と前記ファンとにより形成される矩形範囲の少なくとも一部にかかるように縦置き圧縮機を配設するとともに、室外ユニットの平面形状を略Ｌ字型としたことを特徴とする空気調和機の室外ユニット。
【発明の詳細な説明】
【技術分野】
【０００１】
本発明は、セパレート形空気調和機等の室外ユニットに関するものである。
【背景技術】
【０００２】
従来、この種の室外ユニットはＬ字型の熱交換器とその中にファンを配置し、縦型圧縮機はＬ字型の片側に配置されている（例えば、特許文献１参照）。
【０００３】
図５は、特許文献１に記載された従来の室外ユニットを示すものである。図５に示すように、熱交換器３と、ファン４と、縦置き圧縮機２から構成された室外ユニットは全幅Ｗ０を有し、熱交換器３は２面からの吸い込みであり、縦置き圧縮機２を配設する側の１面が封止されている。
また、熱交換器を１列仕様として吸い込み面積を大きくし、コの字形状の凹部にファン及び圧縮機を配設したものがある（例えば、特許文献２参照）。
【特許文献１】特開平５−３１２３７６号公報
【特許文献２】特開平９−１７８２１９号公報
【発明の開示】
【発明が解決しようとする課題】
【０００４】
空気調和機の性能を向上させるためには限られた大きさの室外ユニットの中で熱交換器の面積を大きくする必要があるが、しかしながら、特許文献１の構成では、縦型圧縮機がＬ型熱交換器の片側に配設され、熱交換器は２面しか開口していないため室外ユニットに占める熱交換器の有効面積が小さく、性能を向上させる為に、効率の高い高価な圧縮機を搭載したり、熱交換効率を上げる為にファンの回転数を増大させて騒音が大きくなるという課題を有していた。さらに、特許文献２に示されるように、熱交換器の面積を増大させる為に高さ方向に熱交換器を大きくすると全高の高い室外機となり、ベランダつり下げでは設置しにくいと云う課題を有し、あらたに熱交換器の長さを伸ばせば室外ユニットが大きくなり過大な設置スペースが必要になるといった、種々の課題を有していた。
また、室外ユニットにおいては、吸い込み及び吹出しを塞がないよう本体の周囲にある程度のスペースを設けるよう規制している。
【０００５】
本発明は、前記従来の課題を解決するもので、限られた室外ユニットの大きさの中で熱交換器の面積を拡大し、吸い込み又は吹出しにおける設置上の規制を物理的にサポートするものとし、安価で効率の高い空気調和機を提供することを目的とする。
【課題を解決するための手段】
【０００６】
前記従来の課題を解決するために、本発明の空気調和機の室外ユニットは、複数の折り曲げにより少なくとも３面が吸い込み面を有する熱交換器を有し、凹部空間にファンを配設し、熱交換器とファンにより形成される矩形範囲の少なくとも一部に縦置き圧縮機を配設するとともに、室外ユニットの平面形状を略Ｌ字型とする構成としたものである。
【０００７】
このように、複数の折り曲げにより凹凸を設けることにより熱交換器を長手方向に増大させて限られた室外ユニットの大きさの中に長い熱交換器を構成するので、熱交換器の面積を増大させることが出来き、効率の高い圧縮機の採用やファンの回転数増大などの対策を打つことなく、また、全高も高くすることのないコンパクトな空気調和機の室外ユニットとすることが出来る。
【発明の効果】
【０００８】
本発明の構成を用いることにより、同じ効率を出すなら、よりコンパクトな室外ユニットとすることが出来、また、同じ大きさなら、より高効率の空気調和機とすることが出来る。
【発明を実施するための最良の形態】
【０００９】
本発明は、複数の折り曲げにより少なくとも３面が吸い込み面を有する熱交換器を有し、凹部空間にファンを配設し、熱交換器とファンにより形成される矩形範囲の少なくとも一部に縦置き圧縮機を配設するとともに、室外ユニットの平面形状を略Ｌ字型とする構成とすることにより、熱交換器を長手方向に延長して限られた室外ユニットの中に長い熱交換器を構成するので、熱交換器の面積を増大させることが出来き、効率の高い圧縮機の採用やファンの回転数増大などの対策を打つことなく、また、全高も高くすることのないコンパクトな空気調和機の室外ユニットとすることが出来る。
【００１０】
以下、本発明の実施の形態について、図面を参照しながら説明する。なお、この実施の形態によって本発明が限定されるものではない。
【００１１】
（実施の形態１）
図１は、本発明の実施の形態１における空気調和機の室外ユニットの平面配置図である。
【００１２】
図１において、１２は縦置き圧縮機、１３は凹部と凸部を有するカギ型形状の熱交換器、１４はファンであり、このファン１４は熱交換器１３の凹部に配設されており縦置き圧縮機１２はカギ型の熱交換器１３の吸い込み側の凸部空間に一部が配設され、換言すれば、熱交換器とファンとにより形成される矩形範囲の少なくとも一部にかかるように縦置き圧縮機１２が配設され、平面形状が吸い込み側に突出した略Ｌ字型の室外ユニットを構成している。なお、熱交換器１３の３面は、室外ユニットの３面と平行な部分を有し、縦置き圧縮機１２は熱交換器１３の吸い込みに障害とならないように構成されている。
【００１３】
以上のように構成された室外ユニットについて、以下その動作、作用を説明する。
【００１４】
まず、熱交換器１３をカギ型とし凹部にファン１４、凸部空間に縦置き圧縮機１２の一部を配設することにより、熱交換器の長さを長くすることが出来るので同じ高さなら表面積を拡大することが出来、さらに３面吸い込みを行っているので、室外ユニットの全幅Ｗ１を従来機種の室外ユニットの全幅Ｗ０の８８％の大きさまで縮小したにもかかわらず、熱交換機１２の面積は１．２倍とすることができ、小型の室外ユニットでしかも効率の高い空気調和機を実現することが出来る。また、縦置き圧縮機１２、熱交換器１３やファン１４の効率を落とす事により、空気調和機全体の効率を従来並みに維持しつつ、コストダウンを行うことも可能となり、小型で安価な空気調和機を提供することが出来る。
【００１５】
また、室外ユニットを上記構成のようにＬ字型とすることにより、室外ユニットの吸い込み側を壁際に寄せて設置するにあたって、その突出部分を吸い込みスペースの確保にあてることができる。
【００１６】
（実施の形態２）
図２は本発明の実施の形態２における空気調和機の室外ユニットの平面配置図である。
【００１７】
図２において、２２は縦置き圧縮機、２３は凹部と凸部を有するカギ型形状の熱交換器、２４はファンであり、このファン２４は熱交換器２３の凹部に配設されており縦置き圧縮機２２はカギ型の熱交換器２３の凸部空間に一部が配設され、平面形状が吸い込み側に突出した略Ｌ字型の室外ユニットを構成している。図２の様に従来構成の全幅Ｗ０と同じ
室外機の全幅Ｗ２とすることにより、さらに熱交換器２３の長さを３２％伸ばすことが出来るので、熱交換器２３の面積は従来構成の熱交換器３に比べて１．３２倍とすることが出来、さらに３面から吸い込みを行うことが出来るのでるので、更に効率の高い空気調和機を実現することが出来る。
【００１８】
また、圧縮機２２や熱交換器２３やファン２４の効率を更に落とすことが出来るので、効率を従来構成並みに維持しつつ、更に安価な空気調和機を提供することが出来る。
【００１９】
さらに、実施の形態１および２では、実際に室外ユニットを設置する場合に、縦置き圧縮機１２、２２を収納する圧縮機スペース１６、２６を壁にぴったりくっつけて施工しても空気を吸い込む空間が確実に確保される為、安定した性能を再現することが出来る。
【００２０】
（実施の形態３）
図３において、３２は縦置き圧縮機、３３はコの字形状の熱交換器、３４はファンであり、このファン３４は熱交換器３３の凹部に配設されている。縦置き圧縮機３２は熱交換器１３の片側の端部を短めにして、熱交換器とファンとにより形成される矩形範囲の少なくとも一部に配設され、平面形状が吹出し側に突出した略Ｌ字型の室外ユニットを構成している。
【００２１】
図３において、ファン３４側に縦置き圧縮機３２を配置すれば、熱交換機３３は単純なコの字型の構成となり、図３では全幅Ｗ３は従来構成の８８％、熱交換機３３の面積は１．２倍となり、小型の室外ユニットでしかも効率の高い空気調和機を実現することが出来る。また、縦置き圧縮機３２や熱交換機３３やファン３４の効率を落として空気調和機の効率を維持しつつ小型の室外ユニットでコストダウンを行うことも出来る。
【００２２】
また、室外ユニットを上記構成のようにＬ字型とすることにより、室外ユニットの吹出し側を壁際に寄せて設置するにあたって、その突出部分を吹出しスペースの確保にあてることができる。
【００２３】
（実施の形態４）
図４において、４２は縦置き圧縮機、４３はコの字形状の熱交換器、４４はファンであり、このファン４４は熱交換器４３の凹部に配設されている。縦置き圧縮機４２は熱交換器２３の片側の端部を短めにして、熱交換器とファンにより形成される矩形範囲の少なくとも一部に配設され、平面形状が吹出し側に突出した略Ｌ字型の室外ユニットを構成している。
【００２４】
図４においてファン４４側に縦置き圧縮機４２を配置すれば、熱交換機４３は単純なコの字型の構成となり、全幅Ｗ４は従来構成と同一でも熱交換機４３の表面積は１．３２倍となり、効率の高い空気調和機を実現することが出来る。また、縦置き圧縮機４２や熱交換機３４やファン４４の効率を落として空気調和機の効率を維持しつつコストダウンを行うことも出来る。
【産業上の利用可能性】
【００２５】
以上のように、本発明にかかる空気調和機の室外ユニットは、室外ユニットの全幅を減少させて熱交換機の面積を増大することが可能となり、小型で効率の高い空気調和機を提供することが出来る。また、効率を従来同様で維持するので有ればコストダウン等の用途ににも適用できる。
【図面の簡単な説明】
【００２６】
【図１】本発明の実施の形態１における空気調和機の室外ユニットの平面配置図
【図２】本発明の実施の形態２における空気調和機の室外ユニットの平面配置図
【図３】本発明の実施の形態３における空気調和機の室外ユニットの平面配置図
【図４】本発明の実施の形態４における空気調和機の室外ユニットの平面配置図
【図５】従来の空気調和機の室外ユニットの平面配置図
【符号の説明】
【００２７】
２、１２、２２、３２、４２  縦置き圧縮機
３、１３、２３、３３、４３  熱交換器
４、１４、２４、３４、４４  ファン
５、１５、２５、３５、４５  全幅
１６、２６  圧縮機収納スペース
【図１】
2006057864.tif 000003
【図２】
2006057864.tif 000004
【図３】
2006057864.tif 000005
【図４】
2006057864.tif 000006
【図５】
2006057864.tif 000007